(57)【要約】      （修正有）【課題】手軽に低酸素トレーニングができる簡素な構造で軽量・廉価な低酸素トレーニング用の装着具を提供する。【解決手段】装着具は、装着部本体と耳掛け紐とで構成される。空気が流通可能な布状部材からなり、立体型マスクの形状に成型された装着具本体は、使用者の鼻の下側と口とを覆う形状に成型された立体部１０と、使用者の顔面に密着する顔面密着部２０とによって構成されている。耳掛け紐３０は、伸縮自在であり、装着具本体の左右両側にそれぞれ配設される。立体部１０の裏面側には、空気が流通可能なフィルター押え部材１２が、立体部１０の裏面に密着するようにその周縁部が立体部１０に固定されている。立体部１０とフィルター押え部材１２との間には、通過する空気の流通量を制御する酸素量調整フィルター１１が配設されている。【選択図】図６
0003227625.tif 000002
【実用新案登録請求の範囲】
【請求項１】
立体型マスクの形状に成型された空気が流通可能な布状部材からなる装着具本体と、該装着具本体の左右両側のそれぞれに配設された伸縮自在な耳掛け紐とによって構成される低酸素トレーニング用の装着具であって、
前記装着具本体は、使用者の顔面の鼻の下側と口とを覆う形状に成型された立体部と、該立体部の左右両側のそれぞれに配設された前記使用者の顔面に密着するような略平板状に形成された顔面密着部とによって構成され、
前記使用者の顔面と対向する前記立体部の内側には、空気が流通可能な平板状の部材を前記立体部と同様の形状に成型したフィルター押え部材であって、前記立体部の内側に密着するようにその周縁部が前記立体部に固定されているフィルター押え部材が配設され、
当該フィルター押え部材と前記立体部との間には、前記使用者が呼吸をする際に前記立体部を通過する空気の流通量を制御する布状部材からなる酸素量調整フィルターが配設されていることを特徴とする低酸素トレーニング用の装着具。
【請求項２】
前記立体部の内側にその周縁部が固定されている前記フィルター押え部材の当該周縁部のうちの一部分は前記立体部に固定されておらず、当該固定されていない前記フィルター押え部材の周縁部と前記立体部の内側との間の隙間が、前記酸素量調整フィルターの挿入・排出口として形成されていることを特徴とする請求項1に記載の低酸素トレーニング用の装着具。
【請求項３】
前記フィルター押え部材は、撥水性を有する素材を網目状の形態に形成した空気が流通可能な平板状の部材によって構成されていることを特徴とする請求項1または請求項２に記載の低酸素トレーニング用の装着具。
【請求項４】
前記フィルター押え部材の下縁部には、前記立体部の下縁部の位置よりも下方向に延在する延在部が連設されていることを特徴とする請求項３に記載の低酸素トレーニング用の装着具。
【請求項５】
前記フィルター押え部材は、撥水性を有する素材をスポンジ状の形態に形成した空気が流通可能な平板状の部材によって構成されていることを特徴とする請求項1または請求項２に記載の低酸素トレーニング用の装着具。
【請求項６】
前記フィルター押え部材の下縁部には、前記立体部の下縁部の位置よりも下方向に延在する延在部が連設されていることを特徴とする請求項５に記載の低酸素トレーニング用の装着具。
【請求項７】
前記酸素量調整フィルターは、不織布によって構成されていることを特徴とする請求項1または請求項２に記載の低酸素トレーニング用の装着具。
【請求項８】
前記立体部には、形態保持用のワイヤーが配設されていることを特徴とする請求項1または請求項２に記載の低酸素トレーニング用の装着具。
【考案の詳細な説明】
【技術分野】
【０００１】
本考案は、普段トレーニングしている標高が低い場所においても手軽に低酸素トレーニングを行うことができる低酸素トレーニング用の装着具に関するものである。
【背景技術】
【０００２】
従来から、マラソンなどの分野においては、アスリートが高地トレーニングを長時間に亘って行い、その運動能力を高めていた。これは、普段生活している標高が低い場所に比して、酸素濃度が低い高地でトレーニングを行うことによってアスリートの心肺機能が高まりその運動能力を高めることができるからである。
【０００３】
しかしながら、長時間に亘って高地でトレーニングを行うには交通費や滞在費などの多額な費用が必要となり、有名選手ではない多くのアスリートは、このような高地トレーニングをすることはできなかった。
【０００４】
そこで、普段生活をしている標高が低い場所においても低酸素トレーニングを行うことができる装着具が既に提案されている。
【０００５】
図９は、このような従来の低酸素トレーニング用の装着具９０の構成を示した斜視図である。
【０００６】
図９に示したように、従来の装着具９０は、アスリートが顔面に装着するマスク部９１と、空気の流通孔を有する複数個のバルブ９２とによって構成されている。
【０００７】
ここで、マスク部９１は、空気が流通せず使用者の顔面に密着するゴム材等の素材を立体型マスクの形状に成型したものであり、装着用のベルト部９３が連設されている。
【０００８】
以上のように構成された従来例においては、使用者が呼吸する際に必要となる空気は全てバルブ９２の流通孔を通過する空気のみになるために、バルブ９２の流通孔の数や大きさを制御することによって使用者が呼吸する際に流通する空気の量（酸素の量）を制御することができる。
【０００９】
このような従来例においては、使用者であるアスリートが、自ら希望する空気の流通量を有するバルブ９２を選んで、そのバルブ９２を装備したマスク部９１を図１０に示したように自らの顔面Ｆに装着すれば、普段トレーニングをしている標高が低い場所においても高地トレーニングと同様な低酸素トレーニングを行うことができる。
【００１０】
このように従来例においては、気密性が高い素材によってマスク部９１を構成してあるので、バルブ９２によって使用者が呼吸する際に使用する空気の流通量（酸素の流通量）を確実に制御することができる。
【考案の概要】
【考案が解決しようとする課題】
【００１１】
しかしながら、以上説明した従来例においては、気密性が高い即ち物質密度が高い素材によってマスク部９１が構成され、これに複数個のバルブ９２が装備されているために重量が重くなり、その重量によってトレーニング中の使用者に負担感を生じさせてしまうという問題があった。
【００１２】
さらに、このような従来例は、その構造上から高価格になってしまい、経済力が無い学生などのアスリートには使用することが難しいという問題もあった。
【００１３】
本考案は、簡素な構造で軽量・廉価であり、手軽に低酸素トレーニングをすることができる低酸素トレーニング用の装着具を提供することを目的とする。
【課題を解決するための手段】
【００１４】
以上の問題を解消するために、本考案は、立体型マスクの形状に成型された空気が流通可能な布状部材からなる装着具本体と、該装着具本体の左右両側のそれぞれに配設された伸縮自在な耳掛け紐とによって構成される低酸素トレーニング用の装着具であって、前記装着具本体は、使用者の顔面の鼻の下側と口とを覆う形状に成型された立体部と、該立体部の左右両側のそれぞれに配設された前記使用者の顔面に密着するような略平板状に形成された顔面密着部とによって構成され、前記使用者の顔面と対向する前記立体部の内側には、空気が流通可能な平板状の部材を前記立体部と同様の形状に成型したフィルター押え部材であって、前記立体部の内側に密着するようにその周縁部が前記立体部に固定されているフィルター押え部材が配設され、当該フィルター押え部材と前記立体部との間には、前記使用者が呼吸をする際に前記立体部を通過する空気の流通量を制御する布状部材からなる酸素量調整フィルターが配設されていることを特徴とするものである。ここで、前記立体部の内側にその周縁部が固定されている前記フィルター押え部材の当該周縁部のうちの一部分は前記立体部に固定されておらず、当該固定されていない前記フィルター押え部材の周縁部と前記立体部の内側との間の隙間が、前記酸素量調整フィルターの挿入・排出口として形成されていてもよい。
【００１５】
前段落の構成において、前記酸素量調整フィルターは、不織布によって構成されていてもよいし、前記立体部には、形態保持用のワイヤーが配設されていてもよい。
【００１６】
また、前前段落の構成において、前記フィルター押え部材は、撥水性を有する素材を網目状の形態に形成した空気が流通可能な平板状の部材によって構成されていてもよい。ここで、前記フィルター押え部材の下縁部には、前記立体部の下縁部の位置よりも下方向に延在する延在部が連設されていてもよい。さらに、前前段落の構成においては、前記フィルター押え部材は、撥水性を有する素材をスポンジ状の形態に形成した空気が流通可能な平板状の部材によって構成されていてもよい。ここで、前記フィルター押え部材の下縁部には、前記立体部の下縁部の位置よりも下方向に延在する延在部が連設されていてもよい。
【考案の効果】
【００１７】
本考案によれば、手軽に低酸素トレーニングができる簡素な構造で軽量・廉価な低酸素トレーニング用の装着具を提供することができる。
【図面の簡単な説明】
【００１８】
【図１】本考案の実施例１の構成を示す表面側から視た斜視図である。
【図２】本考案の実施例１の裏面側から視た構成図である。
【図３】本考案の実施例１の分解斜視図である。
【図４】本考案の実施例１の分解斜視図である。
【図５】本考案の実施例１の構成の説明図である。
【図６】本考案の実施例１の使用方法の説明図である。
【図７】本考案の実施例１の使用方法の説明図である。
【図８】本考案の実施例１の構成の説明図である。
【図９】従来の低酸素トレーニング用の装着具の構成図である。
【図１０】従来の低酸素トレーニング用の装着具の説明図である。
【考案を実施するための形態】
【００１９】
以下、図面を用いて本考案の実施例を説明する。
【実施例１】
【００２０】
図１は、本考案の実施例１の表面側から視た構成を示す斜視図であり、図２は、裏面側から視た構成を示す図である。
【００２１】
図１および図２に示したように、本実施例１に係る低酸素トレーニング用の装着具は、空気が流通可能な布状部材を立体型マスクの形状に成型した装着具本体１と、この装着具本体１を使用者が装着する際に用いる伸縮自在な耳掛け紐３０とによって構成されている。
【００２２】
装着具本体１は、使用者の顔面の鼻の下側と口とを覆う形状に成型された立体部１０と、この立体部１０の左右両側に連設されていて使用者の顔面に密着するような略平板状に形成されている顔面密着部２０とによって構成されている。
【００２３】
図２に示すように、立体部１０の内側（裏面側）には、立体部１０と同様の形状に成型されたフィルター押え部材１２が立体部１０の内側に密着するように配設されている。
【００２４】
このフィルター押え部材１２は、空気が流通可能な平板状の部材を図３に示すような形状に裁断して、図４に示すような形状に成型し、その周縁部を立体部１０に縫製等により固定したものである。なお、図３および図４に示したように、本実施例１においては、立体部１０とフィルター押え部材１２との間には、酸素量調整フィルター１１が配設されている。
【００２５】
ここで、図２に示したように、本実施例１においては、フィルター押え部材１２の周縁部のうちの一部分（図２では下縁部）だけは立体部１０に固定されておらず、この固定されていない立体部１０とフィルター押え部材１２の間の隙間が、酸素量調整フィルター１１の挿入・排出口として機能するように構成してある（図６参照）。
【００２６】
フィルター押え部材１２を構成する空気が流通可能な平板状の部材としては、撥水性を有する素材を網目状の形態に形成した平板状の部材が好適である。このような撥水性を有する網目状のフィルター押え部材１２を立体部１１の内側に配設しておけば、使用者の呼気に含まれる水蒸気によってフィルター押え部材１２自体が濡れるようなことがなく、従ってトレーニング中の使用者の顔面にフィルター押え部材１２が貼り付いて、使用者に不要な不快感を与えることはない。本実施例１においては、撥水性を有するポリエステル繊維を網目状の形態に形成した平板状の部材によってフィルター押え部材１２が構成されている。
【００２７】
なお、このフィルター押え部材１２は、撥水性を有する素材をスポンジ状の形態に形成した空気が流通可能な平板状の部材によって構成しても、上記と同様の効果を得ることができる。
【００２８】
次に本実施例１で使用する酸素量調整フィルター１１について説明する。
【００２９】
酸素量調整フィルター１１は、空気が流通可能な布状部材を、図３に示したようにフィルター押え部材１２の形状と相似形で若干小さめの形状に裁断することによって形成されているものである。ここで、酸素量調整フィルター１１を構成する布状部材の単位面積あたりの繊維密度を変化させれば、使用者が呼吸する際にこの酸素量調整フィルター１１を通過する空気の量（酸素の量）を変化させることができる。
【００３０】
本実施例１では、製造過程において比較的容易に単位面積あたりの繊維密度を変化させることができる不織布によって酸素量調整フィルター１１が構成されている。ここで、図５（ａ）〜（ｃ）に示したように、単位面積あたりの繊維密度が異なる複数個の酸素量調整フィルター１１ａ〜１１ｃを予め用意しておけば、使用者には自らが希望する酸素供給量に従って酸素量調整フィルター１１ａ〜１１ｃの中から好みのものを選び、希望の酸素供給量で低酸素トレーニングを行うことができる。
【００３１】
以上のように構成された本実施例を使用する場合、使用者は、自らが希望する酸素供給量に対応した酸素量調整フィルター１１を選び、その選んだ酸素量調整フィルター１１を、図６に示すように立体部１０とフィルター押え部材１２との間に挿入した後、図７に示すように２本の耳掛け紐３０によって装着具本体１を自らの顔面に装着する。
【００３２】
以上のようにして、使用者は手軽に低酸素トレーニングを行い、自らの心肺能力を高めることができる。
【００３３】
本実施例１を用いて低酸素トレーニングをした後、使用者が酸素量調整フィルター１１を外して本実施例１を洗濯して乾燥させれば、その後、使用者は何度でも本実施例１を清潔な状態で次のトレーニング時に使用することができる。
【００３４】
ここで、図８に示したように、本実施例１の立体部１０に、女性用下着などで用いられている成型形態保持用のワイヤー１３を配線しておけば、使用者が激しい運動で激しい呼吸となったとしても、立体部１０の変形を防ぐことができる。
【００３５】
さらに、図８に示したように、フィルター押え部材１２の下縁部に、立体部１０の下縁部の位置よりも下方向に延布する延在部１２ａが連設されている構成としておけば、立体部１０の内部の水蒸気は、フィルター押え部材１２の表面で露結して下方の延在部１２ａに集まり、この延在部１２ａから外気中に発散されるので、立体部１０の内部の余分な水分を迅速に排除することができる。
【符号の説明】
【００３６】
１      装着具本体
１０    立体部
１１，１１ａ〜１１ｃ  酸素量調整フィルター
１２    フィルター押え部材
１２ａ  延在部
２０    顔面密着部
３０    耳掛け紐
９０    装着具
９１    マスク部
９２    バルブ
９３    ベルト部
Ｆ      顔面
【図１】
0003227625.tif 000003
【図２】
0003227625.tif 000004
【図３】
0003227625.tif 000005
【図４】
0003227625.tif 000006
【図５】
0003227625.tif 000007
【図６】
0003227625.tif 000008
【図７】
0003227625.tif 000009
【図８】
0003227625.tif 000010
【図９】
0003227625.tif 000011
【図１０】
0003227625.tif 000012